(57)【要約】【課題】情報送信者が意識しなくても、店舗ごとの商品情報を収集するための入力画面を自動的に表示する情報管理システムおよび情報送信端末を提供すること。【解決手段】位置情報取得手段１０１によって得られる情報送信端末１００の現在位置情報をもとに、店舗特定手段１０２により、端末の現在位置が特定店舗領域内かどうかを判断し、店舗領域内に入ったと判断されれば、その店舗で扱っている商品のリストを表示して、それらの商品に対する商品情報の入力を促し、入力された情報を送信して、データベース装置２００に蓄積して、閲覧可能とする。【選択図】図１
2007108918.tif 000002
【特許請求の範囲】
【請求項１】
１台以上の情報送信端末と、データベース装置とから構成される情報管理システムであって、
前記情報送信端末は、自端末の現在位置を取得する位置情報取得手段と、店舗の種類や領域などの店舗情報が予め記録されており前記位置情報取得手段により取得された位置情報と前記店舗情報とを比較することで入店した店舗を特定する店舗特定手段と、前記店舗特定手段により特定された店舗の扱う商品に関する入力画面を生成し所定のタイミングで表示する表示手段と、前記表示手段に表示された入力画面に商品に対する情報を入力する入力手段と、前記位置情報取得手段により取得された現在位置情報と前記店舗特定手段で特定された店舗を識別する情報のどちらか、あるいは両方と、前記入力手段により入力された商品に対する情報とを前記データベース装置に送信する送信手段とを備え、
前記データベース装置は、前記情報送信端末の前記送信手段から送信された情報を受信するための受信手段と、前記受信手段により受信された情報を記憶、蓄積する商品情報記憶手段とを備えることを特徴とする情報管理システム。
【請求項２】
前記情報送信端末は、店舗の種類ごとに扱う商品のリストが記憶されており前記店舗特定手段により特定された店舗の種類に応じて商品のリストを取得する商品リスト取得手段をさらに備え、
前記表示手段は、前記商品リスト取得手段により取得された商品リストをもとに入力画面を生成することを特徴とする請求項１に記載の情報管理システム。
【請求項３】
前記情報送信端末は自動車に搭載され、該搭載された自動車が用いる燃料の種別を記憶する燃料種別記憶手段をさらに備え、
前記表示手段は、前記燃料種別記憶手段に記憶された燃料の種別をもとに入力画面を生成することを特徴とする請求項１に記載の情報管理システム。
【請求項４】
前記表示手段は、前記店舗特定手段で特定された店舗の種類が自動車の燃料を販売する店舗であった場合にのみ、入力画面を生成することを特徴とする請求項３に記載の情報管理システム。
【請求項５】
前記情報送信端末は店舗の種類ごとに扱う商品のリストが記憶されており前記店舗特定手段により特定された店舗の種類に応じて商品のリストを取得する商品リスト取得手段をさらに備え、
前記表示手段は、前記商品リスト取得手段により取得された商品リストの中に前記燃料種別記憶手段に記憶された種類の燃料が含まれる場合にのみ、入力画面を生成することを特徴とする請求項３に記載の情報管理システム。
【請求項６】
前記所定のタイミングは、前記店舗特定手段が入店した店舗の種類を特定したときであることを特徴とする請求項１に記載の情報管理システム。
【請求項７】
前記所定のタイミングは、前記位置情報取得手段が取得した現在位置が前記店舗特定手段が特定した店舗の領域から外れたときであることを特徴とする請求項１に記載の情報管理システム。
【請求項８】
前記情報送信端末は自動車に搭載され、
エンジンもしくは相当する動力の停止を検知する動力停止検知手段をさらに備え、
前記所定のタイミングは、前記動力停止検知手段による動力の停止が検知されたときであることを特徴とする請求項１に記載の情報管理システム。
【請求項９】
前記情報送信端末は自動車に搭載され、
エンジンもしくは相当する動力の停止を検知する動力停止検知手段と、前記動力の始動を検知する動力始動検知手段とをさらに備え、
前記所定のタイミングは、前記動力停止検知手段によって動力の停止が検知され、さらに、前記動力始動検知手段による動力の再始動が検知されたときであることを特徴とする請求項１に記載の情報管理システム。
【請求項１０】
前記情報送信端末は自動車に搭載され、
燃料注入口が開放されたことを検知する燃料注入口開放検知手段をさらに備え、
前記所定のタイミングは、前記燃料注入口状態検知手段によって燃料注入口が開けられたことが検知されたときであることを特徴とする請求項１に記載の情報管理システム。
【請求項１１】
前記情報送信端末は自動車に搭載され、
燃料注入口の開閉状態を検知する燃料注入口状態検知手段をさらに備え、
前記所定のタイミングは、前記燃料注入口状態検知手段によって、燃料注入口が開けられたことが検知され、さらに、前記燃料注入口状態検知手段によって、燃料注入口が再び閉じられたことが検知されたときであることを特徴とする請求項１に記載の情報管理システム。
【請求項１２】
前記商品に対する情報は、該商品の価格あるいは単価であることを特徴とする請求項１に記載の情報管理システム。
【請求項１３】
１台以上の情報送信端末と、データベース装置とから構成される情報管理システムにおいて、
自端末の現在位置を取得する位置情報取得手段と、店舗の種類や領域などの店舗情報が予め記録されており前記位置情報取得手段により取得された位置情報と前記店舗情報とを比較することで入店した店舗を特定する店舗特定手段と、前記店舗特定手段により特定された店舗の扱う商品に関する入力画面を生成し所定のタイミングで表示する表示手段と、前記表示手段に表示された入力画面に商品に対する情報を入力する入力手段と、前記位置情報取得手段により取得された現在位置情報と前記店舗特定手段で特定された店舗を識別する情報のどちらか、あるいは両方と、前記入力手段により入力された商品に対する情報とを前記データベース装置に送信する送信手段とを備えることを特徴とする情報送信端末。
【請求項１４】
店舗の種類ごとに扱う商品のリストが記憶されており前記店舗特定手段により特定された店舗の種類に応じて商品のリストを取得する商品リスト取得手段をさらに備え、
前記表示手段は、前記商品リスト取得手段により取得された商品リストをもとに入力画面を生成することを特徴とする請求項１３に記載の情報送信端末。
【請求項１５】
自動車に搭載され、該搭載された自動車が用いる燃料の種別を記憶する燃料種別記憶手段をさらに備え、
前記表示手段は、前記燃料種別記憶手段に記憶された燃料の種別をもとに入力画面を生成することを特徴とする請求項１３に記載の情報送信端末。
【請求項１６】
前記表示手段は、前記店舗特定手段で特定された店舗の種類が自動車の燃料を販売する店舗であった場合にのみ、入力画面を生成することを特徴とする請求項１５に記載の情報送信端末。
【請求項１７】
店舗の種類ごとに扱う商品のリストが記憶されており前記店舗特定手段により特定された店舗の種類に応じて商品のリストを取得する商品リスト取得手段をさらに備え、
前記表示手段は、前記商品リスト取得手段により取得された商品リストの中に前記燃料種別記憶手段に記憶された種類の燃料が含まれる場合にのみ、入力画面を生成することを特徴とする請求項１５に記載の情報送信端末。
【請求項１８】
前記所定のタイミングは、前記店舗特定手段が入店した店舗の種類を特定したときであることを特徴とする請求項１３に記載の情報送信端末。
【請求項１９】
前記所定のタイミングは、前記位置情報取得手段が取得した現在位置が前記店舗特定手段が特定した店舗の領域から外れたときであることを特徴とする請求項１３に記載の情報管理システム。
【請求項２０】
自動車に搭載され、
エンジンもしくは相当する動力の停止を検知する動力停止検知手段をさらに備え、
前記所定のタイミングは、前記動力停止検知手段による動力の停止が検知されたときであることを特徴とする請求項１３に記載の情報送信端末。
【請求項２１】
自動車に搭載され、
エンジンもしくは相当する動力の停止を検知する動力停止検知手段と、前記動力の始動を検知する動力始動検知手段とをさらに備え、
前記所定のタイミングは、前記動力停止検知手段によって動力の停止が検知され、さらに、前記動力始動検知手段による動力の再始動が検知されたときであることを特徴とする請求項１３に記載の情報送信端末。
【請求項２２】
自動車に搭載され、
燃料注入口が開放されたことを検知する燃料注入口開放検知手段をさらに備え、
前記所定のタイミングは、前記燃料注入口状態検知手段によって燃料注入口が開けられたことが検知されたときであることを特徴とする請求項１３に記載の情報送信端末。
【請求項２３】
自動車に搭載され、
燃料注入口の開閉状態を検知する燃料注入口状態検知手段をさらに備え、
前記所定のタイミングは、前記燃料注入口状態検知手段によって、燃料注入口が開けられたことが検知され、さらに、前記燃料注入口状態検知手段によって、燃料注入口が再び閉じられたことが検知されたときであることを特徴とする請求項１３に記載の情報送信端末。
【請求項２４】
前記商品に対する情報は、該商品の価格あるいは単価であることを特徴とする請求項１３に記載の情報送信端末。
【発明の詳細な説明】
【技術分野】
【０００１】
本発明は、店舗で扱われる商品についての情報、特に価格情報を、店舗および商品ごとに収集・蓄積するための情報管理システムおよび情報送信端末に関するものである。
【背景技術】
【０００２】
近年、商品の品質や価格についての情報をインターネットに接続されたサーバに格納し、閲覧させるサービスがおこなわれており、特に、同一商品に対する価格を店舗ごとに一覧、比較するサイトが広く利用されている。
【０００３】
これらのサイトに掲載される情報は、一般の消費者が投稿したり、店舗を運営する業者自身が投稿することによって収集される。
【０００４】
しかしながら、業者にとっては、自店舗の価格が他店舗より高い場合、自店舗で購入する客が減ってしまう可能性があるため、価格の投稿を控えることも少なくない。また、一般の消費者は、店舗の店頭等で価格の情報を知ってから、実際に投稿するまでにある程度時間が経過するため、情報の投稿のために、わざわざ自宅等のパーソナルコンピュータに向かうのが面倒に感じたり、あるいは、投稿することを忘れてしまうという問題点があった。
【０００５】
このような問題を解決する方法として、特許文献１に記載の自動車情報管理システムおよび自動車情報管理方法を用いると、利用者が給油所等で自動車への燃料補給をおこなう際に、移動体通信端末を操作して、燃料の価格を入力し、同時に、移動体通信端末の位置を特定することのできる情報を付加して自動車情報管理サーバに送ることにより、各地の給油所の場所と燃料の種別、給油日時、単価等を自動車情報管理サーバで一元的に保持・管理し、この情報を会員間で情報共有することにより、移動体通信端末やコンピュータ端末から地域別にあるいは時系列的に参照することが可能となる。この特許文献１に記載の自動車情報管理システムおよび自動車情報管理方法を利用すれば、利用者は給油するときに給油所で情報の入力をおこなうので、後ほど、別途、自宅等のパーソナルコンピュータによって情報を投稿する手間が不要になり、情報送信の確実性を高めることができる。
【特許文献１】特開２００１−２２２７９７号公報（第４−５頁）
【発明の開示】
【発明が解決しようとする課題】
【０００６】
しかしながら、従来の自動車情報管理システムおよび自動車情報管理方法では、給油時のデータを入力する際に、利用者が自らサーバにアクセスする必要があり、サーバにアクセスするのを忘れると、情報が送信されないという問題点があった。
【０００７】
本発明は、このような問題点に鑑みてなされたもので、情報送信者が意識しなくても、自動的に情報の入力・送信を促し、さらには自動車の燃料以外の商品についても情報の収集・蓄積ができる情報管理システムおよび情報送信端末を提供することを目的とする。
【課題を解決するための手段】
【０００８】
上記目的を達成するために、本発明の情報管理システムは、１台以上の情報送信端末と、データベース装置とから構成される情報管理システムであって、情報送信端末は、自端末の現在位置を取得する位置情報取得手段と、店舗の種類や領域などの店舗情報が予め記録されており前記位置情報取得手段により取得された位置情報と前記店舗情報とを比較することで入店した店舗を特定する店舗特定手段と、前記店舗特定手段により特定された店舗の扱う商品に関する入力画面を生成し所定のタイミングで表示する表示手段と、表示手段に表示された入力画面に商品に対する情報を入力する入力手段と、位置情報取得手段により取得された現在位置情報と前記店舗特定手段で特定された店舗を識別する情報のどちらか、あるいは両方と、入力手段により入力された商品に対する情報とをデータベース装置に送信する送信手段とを備え、データベース装置は、情報送信端末の送信手段から送信された情報を受信するための受信手段と、受信手段により受信された情報を記憶、蓄積する商品情報記憶手段とを備える。
【０００９】
また、情報送信端末は、店舗の種類ごとに扱う商品のリストが記憶されており店舗特定手段により特定された店舗の種類に応じて商品のリストを取得する商品リスト取得手段をさらに備え、表示手段は、商品リスト取得手段により取得された商品リストをもとに入力画面を生成してもよい。
【００１０】
また、情報送信端末は自動車に搭載され、該搭載された自動車が用いる燃料の種別を記憶する燃料種別記憶手段をさらに備え、表示手段は、燃料種別記憶手段に記憶された燃料の種別をもとに入力画面を生成してもよい。
【００１１】
また、表示手段は、店舗特定手段で特定された店舗の種類が自動車の燃料を販売する店舗であった場合にのみ、入力画面を生成してもよい。
【００１２】
また、情報送信端末は店舗の種類ごとに扱う商品のリストが記憶されており店舗特定手段により特定された店舗の種類に応じて商品のリストを取得する商品リスト取得手段をさらに備え、表示手段は、商品リスト取得手段により取得された商品リストの中に燃料種別記憶手段に記憶された種類の燃料が含まれる場合にのみ、入力画面を生成してもよい。
【００１３】
また、所定のタイミングは、店舗特定手段が入店した店舗の種類を特定したときであってもよい。
【００１４】
また、所定のタイミングは、位置情報取得手段が取得した現在位置が店舗特定手段が特定した店舗の領域から外れたときであってもよい。
【００１５】
また、情報送信端末は自動車に搭載され、エンジンもしくは相当する動力の停止を検知する動力停止検知手段をさらに備え、所定のタイミングは、動力停止検知手段による動力の停止が検知されたときであってもよい。
【００１６】
また、情報送信端末は自動車に搭載され、エンジンもしくは相当する動力の停止を検知する動力停止検知手段と、動力の始動を検知する動力始動検知手段とをさらに備え、所定のタイミングは、動力停止検知手段によって動力の停止が検知され、さらに、動力始動検知手段による動力の再始動が検知されたときであってもよい。
【００１７】
また、情報送信端末は自動車に搭載され、燃料注入口が開放されたことを検知する燃料注入口開放検知手段をさらに備え、所定のタイミングは、燃料注入口状態検知手段によって燃料注入口が開けられたことが検知されたときであってもよい。
【００１８】
また、情報送信端末は自動車に搭載され、燃料注入口の開閉状態を検知する燃料注入口状態検知手段をさらに備え、所定のタイミングは、燃料注入口状態検知手段によって、燃料注入口が開けられたことが検知され、さらに、燃料注入口状態検知手段によって、燃料注入口が再び閉じられたことが検知されたときであってもよい。
【００１９】
また、商品に対する情報は、該商品の価格あるいは単価であってもよい。
【００２０】
また、本発明の情報送信端末は、１台以上の情報送信端末と、データベース装置とから構成される情報管理システムにおいて、自端末の現在位置を取得する位置情報取得手段と、店舗の種類や領域などの店舗情報が予め記録されており前記位置情報取得手段により取得された位置情報と前記店舗情報とを比較することで入店した店舗を特定する店舗特定手段と、前記店舗特定手段により特定された店舗の扱う商品に関する入力画面を生成し所定のタイミングで表示する表示手段と、表示手段に表示された入力画面に商品に対する情報を入力する入力手段と、位置情報取得手段により取得された現在位置情報と前記店舗特定手段で特定された店舗を識別する情報のどちらか、あるいは両方と、入力手段により入力された商品に対する情報とをデータベース装置に送信する送信手段とを備える。
【００２１】
また、店舗の種類ごとに扱う商品のリストが記憶されており店舗特定手段により特定された店舗の種類に応じて商品のリストを取得する商品リスト取得手段をさらに備え、表示手段は、商品リスト取得手段により取得された商品リストをもとに入力画面を生成してもよい。
【００２２】
また、自動車に搭載され、該搭載された自動車が用いる燃料の種別を記憶する燃料種別記憶手段をさらに備え、表示手段は、燃料種別記憶手段に記憶された燃料の種別をもとに入力画面を生成してもよい。
【００２３】
また、表示手段は、店舗特定手段で特定された店舗の種類が自動車の燃料を販売する店舗であった場合にのみ、入力画面を生成してもよい。
【００２４】
また、店舗の種類ごとに扱う商品のリストが記憶されており店舗特定手段により特定された店舗の種類に応じて商品のリストを取得する商品リスト取得手段をさらに備え、表示手段は、商品リスト取得手段により取得された商品リストの中に燃料種別記憶手段に記憶された種類の燃料が含まれる場合にのみ、入力画面を生成してもよい。
【００２５】
また、所定のタイミングは、店舗特定手段が入店した店舗の種類を特定したときであってもよい。
【００２６】
また、所定のタイミングは、位置情報取得手段が取得した現在位置が店舗特定手段が特定した店舗の領域から外れたときであってもよい。
【００２７】
また、自動車に搭載され、エンジンもしくは相当する動力の停止を検知する動力停止検知手段をさらに備え、所定のタイミングは、動力停止検知手段による動力の停止が検知されたときであってもよい。
【００２８】
また、自動車に搭載され、エンジンもしくは相当する動力の停止を検知する動力停止検知手段と、動力の始動を検知する動力始動検知手段とをさらに備え、所定のタイミングは、動力停止検知手段によって動力の停止が検知され、さらに、動力始動検知手段による動力の再始動が検知されたときであってもよい。
【００２９】
また、自動車に搭載され、燃料注入口が開放されたことを検知する燃料注入口開放検知手段をさらに備え、所定のタイミングは、燃料注入口状態検知手段によって燃料注入口が開けられたことが検知されたときであってもよい。
【００３０】
また、自動車に搭載され、燃料注入口の開閉状態を検知する燃料注入口状態検知手段をさらに備え、所定のタイミングは、燃料注入口状態検知手段によって、燃料注入口が開けられたことが検知され、さらに、燃料注入口状態検知手段によって、燃料注入口が再び閉じられたことが検知されたときであってもよい。
【００３１】
また、商品に対する情報は、該商品の価格あるいは単価であってもよい。
【発明の効果】
【００３２】
本願発明の情報管理システム、及び情報送信端末によれば、入店した店舗の商品の情報を入力するための入力画面が情報送信端末に表示され、利用者に情報入力を促すことができる。
【００３３】
また、自動車燃料を補給する店舗において、利用者は、表示された商品リストの中から、情報入力対象の商品を選択する手間なしに、商品の情報入力をすることができる。
【００３４】
また、好適なタイミングで、利用者に情報入力を促すことができ、特に、自動車用燃料を補給する店舗において、より好適なタイミングで、利用者に情報入力を促すことができる。
さらに、自動車燃料を補給する店舗において、利用者は、表示された商品リストの中から、情報入力対象の商品を選択する手間なしに、商品の情報入力をすることができる。
【００３５】
また、商品価格を店舗ごとに一元的に収集し、管理することができる。
【発明を実施するための最良の形態】
【００３６】
以下、本発明の各実施の形態における情報管理システムおよび情報送信端末について、図面を用いて説明する。
（実施の形態１）
図１は、本発明の第１の実施の形態における情報管理システム１のブロック図であり、１台の情報送信端末１００とデータベース装置２００で構成され、情報送信端末１００は、自動車に搭載されているものとする。
【００３７】
さらに、情報送信端末１００は、位置情報取得手段１０１、店舗特定手段１０２、商品リスト取得手段１０３、制御手段１０４、燃料種別記憶手段１０５、送信手段１０６、入力手段１０７、表示手段１０８、から構成される。
【００３８】
位置情報取得手段１０１は、ＧＰＳ（Ｇｌｏｂａｌ  Ｐｏｓｉｔｉｏｎｉｎｇ  Ｓｙｓｔｅｍ）等を利用して、情報送信端末１００の現在位置を取得する。
【００３９】
ここで、図２（ａ）は、道路に面した店舗１および店舗２の領域を表す図であり、店舗１は地点（Ａ）、（Ｂ）、（Ｃ）、（Ｄ）の４点、店舗２は地点（Ｅ）、（Ｆ）、（Ｇ）、（Ｈ）の４点で、それぞれ囲まれた領域である。
【００４０】
店舗特定手段１０２は、位置情報取得手段１０１から得られる位置情報をもとに、情報送信端末１００の現在位置が予め記録された店舗領域の中であるかどうかを判断する。
【００４１】
図２（ｂ）は、店舗特定手段１０２に格納されている店舗領域情報の例であり、図２（ａ）における店舗１の領域を表す地点（Ａ）〜（Ｄ）の４点の緯度、経度と、店舗２の領域を表す地点（Ｅ）〜（Ｈ）の４点の緯度、経度、店舗３の領域を表す４点の緯度、経度および各店舗に一意に付与された識別子および各店舗の種類が記録されている。
【００４２】
店舗特定手段１０２は、位置情報取得手段１０１から得られる情報送信端末１００の位置情報と、図２（ｂ）における各店舗の領域を比較し、情報送信端末１００の位置が店舗領域内部であれば、制御手段１０４に対して、店舗の識別子と店舗の種類を通知する。
【００４３】
例えば、情報送信端末１００が、図２（ａ）における（Ｘ１）の位置にあるとき、位置情報取得手段１０１から、店舗特定手段１０２に（Ｘ１）地点の位置情報として「Ｎ３４°４４’２３．８”  Ｅ１３５°３４’２９．０”」なる緯度、経度情報が送られる。
【００４４】
店舗特定手段１０２は、図２（ｂ）に示す各店舗の領域情報と、（Ｘ１）地点の緯度、経度を比較し、（Ｘ１）地点が店舗１、店舗２、店舗３のいずれかの領域に含まれているかどうかを判定し、（Ｘ１）地点は店舗１、店舗２、店舗３のいずれの領域にも含まれないので、いかなる出力もおこなわない。
【００４５】
また、情報送信端末１００が、図２（ａ）における（Ｘ２）の位置にあるとき、位置情報取得手段１０１から、店舗特定手段１０２に（Ｘ２）地点の位置情報として「Ｎ３４°４４’２７．７”  Ｅ１３５°３４’２５．１”」なる緯度、経度情報が送られる。
【００４６】
店舗特定手段１０２は、上記と同様に、この（Ｘ２）地点の緯度、経度が店舗１、店舗２、店舗３のいずれかの領域に含まれているかどうかを判定し、（Ｘ２）地点は店舗１の領域内であるので、制御手段１０４に対して、店舗の識別子「１００１」と、店舗の種類「食料品店」を通知する。
【００４７】
同様に、（Ｙ１）地点は、店舗１、店舗２、店舗３のいずれの領域にも含まれない地点であり、また、（Ｙ２）地点は、店舗２の領域内にあるものとする。情報送信端末の現在位置が（Ｙ２）地点であるとき、店舗特定手段１０２は、制御手段１０４に対して、店舗の識別子「２００１」と、店舗の種類「ガソリンスタンド」を通知する。
【００４８】
また、商品リスト取得手段１０３は、店舗の種類と、その店舗で扱う商品のうち、情報の入力対象とする商品をリストにしたリストを格納しており、制御手段１０４が店舗の種類をもとに検索をおこなうと、検索結果として商品リストを返す。
【００４９】
図３は商品リストの例であり、食料品店に対して、「牛乳」、「たまご」が、ガソリンスタンドに対して、「レギュラーガソリン」、「ハイオクガソリン」、「軽油」が、それぞれ記録されている。
【００５０】
燃料種別記憶手段１０５は、情報送信端末１００が搭載されている自動車の燃料の種類を記憶しており、「レギュラーガソリン」「ハイオクガソリン」「軽油」「アルコール」「電気」等の種別が記憶されている。この燃料の種別は、利用者が入力手段１０７によって入力してもよいし、あるいは、情報送信端末１００が予め、自動車に設置されて販売される場合は、自動車の製造もしくは販売時に入力し、記憶させておいてもよい。本実施の形態では、燃料の種類として「レギュラーガソリン」が記憶されているものとする。
【００５１】
送信手段１０６は、情報送信端末１００とデータベース装置２００を相互に通信可能にするものであり、携帯電話や無線ＬＡＮなどの無線ネットワーク装置を用いる。
【００５２】
入力手段１０７には、タッチパネルやタッチペンをはじめとするポインティングデバイスや、あるいはキーボード、音声入力手段などを用いてもよい。
【００５３】
また、表示手段１０８には、例えば、液晶表示装置などを用いる。
【００５４】
次に、データベース装置２００は、受信手段２０１と、商品情報記憶手段２０２から構成される。
【００５５】
受信手段２０１は情報送信端末１００とデータベース装置２００を相互に通信可能にするものであり、情報送信端末１００から、送信手段１０６を介して送信されてくる、利用者が入力した商品情報を受信し、商品情報記憶手段２０２に送る。
【００５６】
商品情報記憶手段２０２は、情報送信端末１００から送られてきた商品情報を、受信手段２０１を介して受信し、店舗識別子とともに記憶する。
【００５７】
以上のように構成された本発明の第１の実施の形態における情報管理システム１における情報送信端末１００について、その動作を図４に示すフローチャートを用いて説明する。
【００５８】
まず、位置情報取得手段１０１は、情報送信端末１００の現在位置の位置情報を取得（Ｓ１０１）し、店舗特定手段１０２に送る。店舗特定手段１０２は、この位置情報と、店舗特定手段１０２に格納されている店舗領域情報を比較し（Ｓ１０２）、情報送信端末１００の現在位置が、店舗特定手段１０２に格納されている店舗領域情報から得られる各店舗の領域のいずれかの内部であるかどうかを判別し（Ｓ１０３）、いずれの店舗領域の内部でもない場合（Ｓ１０３のＮｏ）、再び、現在位置の位置情報取得をおこなう（Ｓ１０１）。
【００５９】
また、いずれかの店舗領域の内部である場合（Ｓ１０３のＹｅｓ）、店舗特定手段１０２に格納されている店舗領域情報から、その店舗の識別子と店舗の種類を読み出し（Ｓ１０４）、制御手段１０４に通知する。
【００６０】
例えば、最初に情報端末１００が図２（ａ）の（Ｘ１）地点にあった場合、Ｓ１０１において、位置情報取得手段１０１から、店舗特定手段１０２に位置情報として、「Ｎ３４°４４’２３．８”  Ｅ１３５°３４’２９．０”」なる緯度、経度情報が送られる。店舗特定手段１０２は、この緯度、経度情報と、図２（ｂ）に示される店舗１、店舗２、店舗３の領域情報を比較し（Ｓ１０２）、地点（Ｘ１）は店舗１、店舗２、店舗３のいずれの領域の内部でもないので（Ｓ１０３のＮｏ）、再度、位置情報取得手段１０１が現在位置の位置情報を取得する処理に戻る（Ｓ１０１）。もし、情報送信端末１００が移動しなければ、Ｓ１０１〜Ｓ１０３の処理が繰り返される。
【００６１】
次に、情報送信端末１００が（Ｘ１）地点から、（Ｘ２）地点に移動したとすると、Ｓ１０１において、位置情報取得手段１０１から、店舗特定手段１０２に（Ｘ２）地点の位置情報として、「Ｎ３４°４４’２７．７”  Ｅ１３５°３４’２５．１”」なる緯度、経度情報が送られる。店舗特定手段１０２は、この緯度、経度情報と、図２（ｂ）に示される店舗１、店舗２、店舗３の各領域情報を比較し（Ｓ１０２）、地点（Ｘ２）は店舗１の領域の内部であるので（Ｓ１０３のＹｅｓ）、店舗特定手段１０２に格納されている店舗領域情報から、店舗１の識別子「１００１」と、店舗の種類「食料品店」が制御手段１０４に通知される（Ｓ１０４）。
【００６２】
ここで、店舗の種類は「ガソリンスタンド」ではないので（Ｓ１０５のＮｏ）、制御手段１０４は、店舗の種類「食料品店」をもとに、商品リスト取得手段１０３により、検索をおこない、「食料品店」に対応する商品リストとして、「牛乳」、「たまご」が制御手段１０４に返され（Ｓ１０６）、制御手段１０４は、これらの商品リストをもとに、表示手段１０８に情報入力を促す表示をおこなう（Ｓ１０８）。
【００６３】
本実施の形態では、入力を促す情報は、商品の価格であるものとし、表示手段１０８には、例えば、図５（ａ）に示すような表示がおこなわれ、商品情報入力がなされない間は（Ｓ１０９のＮｏ）、Ｓ１０９とＳ１１０を繰り返す。
【００６４】
ここで、利用者が入力手段１０７を用い、図５（ｂ）に示すように、「牛乳」と「たまご」の価格として、それぞれ「２００」、「１４０」を入力し、「ＯＫ」ボタンを押す、もしくは同等の操作をおこなうと、情報入力が終了したものとみなされ（Ｓ１０９のＹｅｓ）、送信手段１０６を介して、店舗１の識別子「１００１」と、「牛乳」、「たまご」の各々の価格が、データベース装置２００に対して、「牛乳：２００，たまご：１４０」のように送信（Ｓ１１１）された後、Ｓ１１２の処理に移る。
【００６５】
また、図５（ａ）の画面に対する入力の有無にかかわらず、「キャンセル」ボタンが押される、もしくは同等の操作がおこなわれると、Ｓ１１０で、入力キャンセルと判断され（Ｓ１１０のＹｅｓ）、Ｓ１１２の処理に移る。
【００６６】
Ｓ１１２では、再度、位置情報取得手段１０１により、情報送信端末１００の現在位置が取得され、現在位置が店舗特定手段１０２により、店舗１の領域内であるか判断する（Ｓ１１３、Ｓ１１４）。
【００６７】
ここで、現在位置が、店舗１の内部であれば（Ｓ１１４のＹｅｓ）、現在位置が店舗１の外部になるまで、Ｓ１１２〜Ｓ１１４の処理を繰り返す。現在位置が、店舗１の外部であれば（Ｓ１１４のＮｏ）、店舗１から出たとみなされ、一連の処理を終了して、最初のステップであるＳ１０１に戻る。
【００６８】
次に、情報送信端末１００が図２（ａ）の（Ｙ１）から（Ｙ２）に移動した場合について、説明する。
【００６９】
情報送信端末１００が（Ｙ１）地点にあるときは、（Ｙ１）は、（Ｘ１）と同様に、店舗１、店舗２、店舗３のいずれの領域内でもないので、Ｓ１０１〜Ｓ１０３の処理が繰り返される。ここで、情報送信端末１００が（Ｙ２）地点に移動すると、Ｓ１０１において、位置情報取得手段１０１から、店舗特定手段１０２に（Ｙ２）地点の位置情報として緯度、経度情報が送られる。
【００７０】
店舗特定手段１０２は、この緯度、経度情報と、図２（ｂ）に示される店舗１、店舗２、店舗３の各領域情報を比較し（Ｓ１０２）、地点（Ｙ２）は店舗２の領域の内部であるので（Ｓ１０３のＹｅｓ）、店舗特定手段１０２に格納されている店舗領域情報から、店舗２の識別子「２００１」と、店舗の種類「ガソリンスタンド」が制御手段１０４に通知される（Ｓ１０４）。
【００７１】
この場合、店舗の種類が「ガソリンスタンド」であるので（Ｓ１０５のＹｅｓ）、Ｓ１０７で燃料種別記憶手段１０５より、「レギュラーガソリン」が読み出され、制御手段１０４に渡される（Ｓ１０７）。
【００７２】
制御手段１０４は、この燃料種別をもとに、表示手段１０８に、図５（ｃ）に示すような表示をおこない、情報の入力を促す（Ｓ１０８）。
【００７３】
以降の処理は、前述の情報送信端末が（Ｘ１）地点から（Ｘ２）地点に移動した場合と同じであり、商品情報入力がなされない間は、Ｓ１０９とＳ１１０が繰り返され、入力手段１０７によって商品情報が入力され、「ＯＫ」ボタンが押されると、情報入力が終了したものとみなされ（Ｓ１０９のＹｅｓ）、送信手段１０６を介して、店舗２の識別子「２００１」と「レギュラーガソリン」の価格が、「レギュラーガソリン：１２０」のようにデータベース装置２００に対して送信（Ｓ１１１）された後、Ｓ１１２の処理に移る。
【００７４】
また、キャンセルボタンが押されると（Ｓ１１０のＹｅｓ）、商品情報の入力待ち状態を抜けて、Ｓ１１２に移り、さらに、この後、店舗２の領域外に出るまでＳ１１２〜Ｓ１１４が繰り返される。
【００７５】
一方、Ｓ１１１において、商品情報として、店舗の識別子と商品の種類、各々の価格が送信されると、データベース装置２００は、受信手段２０１を介して、この情報を受信し、商品情報記憶手段２０２に記憶する。商品情報記憶手段２０２には、受信した商品情報が、例えば図６のように記憶される。
【００７６】
以上、説明したように、本発明の第１の実施の形態の情報管理システムによれば、情報送信端末１００に、自端末の現在位置情報を取得する位置情報取得手段１０１を設け、この現在位置情報をもとに、店舗特定手段１０２が、情報送信端末１００が予め記録された店舗の領域内にあるかどうかを判定し、店舗領域内にあると判断されたときは、自動的に、その店舗で扱っている商品の情報を入力するための入力画面を表示手段１０８に表示するようにしたので、情報送信者が意識しなくても、自動的に情報の入力を促すことにより、情報収集および送信の確実性を高めることができる。
【００７７】
さらに、店舗特定手段１０２により、領域内に入った店舗が「ガソリンスタンド」であると判断されたときは、燃料種別記憶手段１０５から、情報送信端末１００が搭載された自動車の燃料の種類を読み出し、これを表示手段１０８に表示することにより、情報送信者は、表示された商品リストの中から、情報入力対象の商品を選択する手間なしに、商品の情報入力をすることができる。
【００７８】
なお、図２（ｂ）に例示される店舗特定手段１０２に格納されている店舗領域とは、店舗全体でもよいし、駐車場や入口近辺など、店舗の敷地の一部だけでもよい。また、店舗領域の形状は、必ずしも四角形である必要はない。
【００７９】
また、本実施の形態では、店舗の領域情報は、店舗特定手段１０２に格納されるよう構成したが、店舗の領域情報を情報送信端末１００の外部に置き、店舗特定手段１０２が送信手段１０６を介して、この領域情報をアクセスし、検索するようにしてもよい。
【００８０】
また、位置情報の表現形式は本実施の形態で例示した緯度、経度情報以外の表現方法でもよく、位置情報の精度をさらに高めたものを用いてもよい。
【００８１】
また、本実施の形態では、図５（ｂ）において、「牛乳」と「たまご」の両方の価格を入力してから、「ＯＫ」ボタンを押し、両商品の情報が送信される例を説明したが、例えば、「牛乳」の価格だけを入力し、「たまご」の価格を入力せずに、「ＯＫ」ボタンを押した場合に、「牛乳」の価格のみが送信されるようにしてもよい。
【００８２】
また、商品リストを構成する商品名として、「牛乳」、「たまご」等の文字列を用いたが、商品名を一意に表すことのできる記号、数字等の識別子を用いてもよい。
【００８３】
また、本実施の形態では、「ＯＫ」ボタンおよび「キャンセル」ボタンを表示手段１０８上に描画し、タッチパネルでボタン部分を押したり、ポインティングデバイスでボタンを選択し、「押す」のと同等の操作をおこなう例を説明したが、ボタンを画面に描画する代わりに、画面外部の物理的なボタンを設けてもよいし、リモコン上のボタンにより、操作してもよい。
（実施の形態２）
本発明の第２の実施の形態における情報管理システム２の構成は、図１で表される本発明の第１の実施の形態における情報管理システム１の構成と同一である。
【００８４】
このように構成された本発明の第２の実施の形態における情報管理システム２における情報送信端末１００について、その動作を図７に示すフローチャートを用いて説明する。
【００８５】
なお、前述の通り本発明の第２の実施形態における情報管理システム２の構成は図１と同じ構成であるため、各手段の参照符号などは便宜上図１をもとにして以下動作説明を行う。
【００８６】
Ｓ２０１〜Ｓ２０４の動作は、第１の実施の形態におけるＳ１０１〜Ｓ１０４の動作と同一であり、情報送信端末１００の現在位置が、店舗特定手段１０２に格納されている店舗領域情報から得られる各店舗の領域のいずれかの内部であると判断されるまで、Ｓ２０１〜Ｓ２０３のステップを繰り返し、いずれかの店舗領域の内部に入ったと判断されると（Ｓ２０３のＹｅｓ）、店舗特定手段１０２に格納されている店舗領域情報から、その店舗の識別子と店舗の種類を読み出し（Ｓ２０４）、制御手段１０４に通知する。
【００８７】
例えば、情報送信端末１００が図２（ａ）における（Ｘ１）地点から、（Ｘ２）地点に移動し、店舗１の領域に入ると、店舗１の識別子「１００１」と、店舗の種類「食料品店」が店舗特定手段１０２から制御手段１０４に通知され（Ｓ２０４）、制御手段１０４は、店舗の種類「食料品店」をもとに、商品リスト取得手段１０３により、検索をおこない、「食料品店」に対応する商品リストとして、「牛乳」、「たまご」が制御手段１０４に返される（Ｓ２０６）。
【００８８】
次に、燃料種別記憶手段１０５より、「レギュラーガソリン」が読み出され、制御手段１０４に渡される（Ｓ２２７）。制御手段１０４は、Ｓ２０６で取得した商品リストの品目の中に「レギュラーガソリン」が無いので（Ｓ２２８のＮｏ）、商品リストをもとに、表示手段１０８に、例えば、図５（ａ）に示すような表示をおこなう（Ｓ２２９）。
【００８９】
以降の動作は、第１の実施の形態における動作と同一であり、商品情報入力がなされない間は、Ｓ２０９とＳ２１０を繰り返す。
【００９０】
利用者が、入力手段１０７を用い、図５（ｂ）に示すように、「牛乳」と「たまご」の価格のいずれか、もしくは、両方を入力し、「ＯＫ」ボタンを押すと、情報入力が終了したものとみなされ（Ｓ２０９のＹｅｓ）、送信手段１０６を介して、店舗の識別子と、「牛乳」、「たまご」のいずれかの価格、もしくは両方の価格が、データベース装置２００に送信（Ｓ２１１）された後、Ｓ２１２の処理に移る。
【００９１】
また、図５（ａ）の画面に対する入力の有無にかかわらず、「キャンセル」ボタンが押されると、入力キャンセルと判断され（Ｓ２１０のＹｅｓ）、Ｓ２１２の処理に移る。
【００９２】
さらに、情報送信端末１００が、店舗１の領域の外部に出たと判断されるまで、Ｓ２１２〜Ｓ２１４の各ステップを繰り返し、現在位置が、店舗１の外部に出たと判断されると（Ｓ２１４のＮｏ）、一連の処理を終了して、最初のステップであるＳ２０１に戻る。
【００９３】
次に、情報送信端末１００が、（Ｙ１）地点から、（Ｙ２）地点に移動し、店舗２の領域に入ると、店舗２の識別子「２００１」と、店舗の種類「ガソリンスタンド」が制御手段１０４に通知され（Ｓ２０４）、制御手段１０４は、店舗の種類「ガソリンスタンド」をもとに、商品リスト取得手段１０３により、検索をおこない、「ガソリンスタンド」に対応する商品リストとして、「レギュラーガソリン」、「ハイオクガソリン」、「軽油」が制御手段１０４に返される（Ｓ２０６）。
【００９４】
次に、燃料種別記憶手段１０５より、「レギュラーガソリン」が読み出され、制御手段１０４に渡される（Ｓ２２７）。制御手段１０４は、Ｓ２０６で取得した商品リストの品目の中に「レギュラーガソリン」が含まれているので（Ｓ２２８のＹｅｓ）、図５（ｃ）に示すように、表示手段１０８に、「レギュラーガソリン」の価格入力を促す表示をおこなう（Ｓ２３０）。
【００９５】
以降の処理は、店舗１の場合と同じであり、商品情報入力がなされない間は、Ｓ２０９とＳ２１０が繰り返され、入力手段１０７により商品情報が入力され、「ＯＫ」ボタンが押されると、情報入力が終了したものとみなされ（Ｓ２０９のＹｅｓ）、送信手段１０６を介して、店舗の識別子と「レギュラーガソリン」の価格が、データベース装置２００に送信（Ｓ２１１）された後、Ｓ２１２の処理に移る。
【００９６】
また、キャンセルボタンが押されると（Ｓ２１０のＹｅｓ）、商品情報の入力待ち状態を抜けて、Ｓ２１２に移り、さらに、この後、店舗２の領域外に出るまでＳ２１２〜Ｓ２１４が繰り返される。
【００９７】
なお、データベース装置２００の動作も、第１の実施の形態と同様であり、情報送信端末１００側のＳ２１１において、商品情報として、店舗の識別子と商品の種類、各々の価格が送信されると、データベース装置２００は、受信手段２０１を介して、この情報を受信し、商品情報記憶手段２０２に記憶する。商品情報記憶手段２０２には、受信した商品情報が、例えば図６のように記憶される。
【００９８】
以上、説明したように、本発明の第２の実施の形態の情報管理システム２によれば、情報送信端末１００に、自端末の現在位置情報を取得する位置情報取得手段１０１を設け、この現在位置情報をもとに、店舗特定手段１０２が、情報送信端末１００が予め記録された店舗の領域内にあるかどうかを判定し、店舗領域内にあると判断されたときは、自動的に、その店舗で扱っている商品の情報を入力するための入力画面を表示手段１０８に表示するようにしたので、情報送信者が意識しなくても、自動的に情報の入力を促すことにより、情報収集および送信の確実性を高めることができる。
【００９９】
さらに、商品リスト取得手段１０３により、得られた商品リストと、燃料種別記憶手段１０５からの読み出しによって得られる情報送信端末１００が搭載されている自動車の燃料種別とを比較し、商品リストの中に、自車の燃料種別が含まれている場合、この燃料種別についてのみ、表示手段１０８に表示することにより、情報送信者は、表示された商品リストの中から、情報入力対象の商品を選択する手間なしに、商品の情報入力をすることができる。
（実施の形態３）
図８は、本発明の第３の実施の形態における情報送信端末１１０のブロック図であり、本発明の第１の実施の形態における燃料種別記憶手段１０５を含まないことを除いて、第１の実施の形態における情報送信端末と同一である。
【０１００】
このように構成された本発明の第３の実施の形態における情報送信端末１１０について、その動作を図９ａに示すフローチャートを用いて説明する。
【０１０１】
Ｓ３０１〜Ｓ３０４の動作は、第１の実施の形態におけるＳ１０１〜Ｓ１０４の動作と同一であり、情報送信端末１１０の現在位置が、店舗特定手段１０２に格納されている店舗領域情報から得られる各店舗の領域のいずれかの内部であると判断されるまで、Ｓ３０１〜Ｓ３０３のステップを繰り返し、いずれかの店舗領域の内部に入ったと判断されると（Ｓ３０３のＹｅｓ）、店舗特定手段１０２に格納されている店舗領域情報から、その店舗の識別子と店舗の種類を読み出し（Ｓ３０４）、制御手段１０４に通知する。
【０１０２】
例えば、情報送信端末１１０が図２（ａ）における（Ｘ１）地点から、（Ｘ２）地点に移動し、店舗１の領域に入ると、店舗１の識別子「１００１」と、店舗の種類「食料品店」が店舗特定手段１０２から制御手段１０４に通知され（Ｓ３０４）、制御手段１０４は、店舗の種類「食料品店」をもとに、商品リスト取得手段１０３により、検索をおこない、「食料品店」に対応する商品リストとして、「牛乳」、「たまご」が制御手段１０４に返される（Ｓ３０６）。
【０１０３】
次に、再度、位置情報取得手段１０１により、情報送信端末１１０の現在位置が取得され（Ｓ３１２）、現在位置が店舗特定手段１０２により、店舗１の領域内であるか判断し（Ｓ３１３、Ｓ３１４）、現在位置が、店舗１の内部であれば（Ｓ３１４のＹｅｓ）、現在位置が店舗１の外部になるまで、Ｓ３１２〜Ｓ３１４の処理を繰り返す。
【０１０４】
現在位置が、店舗１の外部であれば（Ｓ３１４のＮｏ）、店舗１から出たとみなされ、制御手段１０４は、Ｓ３０６で取得した商品リストをもとに、表示手段１０８に、図５（ａ）に示すような情報入力を促す表示をおこない（Ｓ３０８）、これに対して、商品情報入力がなされない間は、Ｓ３０９とＳ３１０を繰り返す。
【０１０５】
ここで、利用者が、入力手段１０７を用い、図５（ｂ）に示すように、「牛乳」と「たまご」の価格のいずれか、もしくは、両方を入力し、「ＯＫ」ボタンを押すと、情報入力が終了したものとみなされ（Ｓ３０９のＹｅｓ）、送信手段１０６を介して、店舗の識別子と、「牛乳」、「たまご」のいずれかの価格、もしくは両方の価格が、データベース装置２００に送信（Ｓ３１１）された後、一連の処理を終了して、最初のステップであるＳ３０１に戻る。
【０１０６】
また、図５（ａ）の画面に対する入力の有無にかかわらず、「キャンセル」ボタンが押されると、入力キャンセルと判断され（Ｓ３１０のＹｅｓ）、同じく、一連の処理を終了して、Ｓ３０１に戻る。
【０１０７】
なお、データベース装置２００の動作も、第１の実施の形態と同様であり、受信手段２０１を介して受信した商品情報を商品情報記憶手段２０２に記憶する。
【０１０８】
以上、説明したように、本発明の第３の実施の形態の情報送信端末１１０によれば、自端末の現在位置情報を取得する位置情報取得手段１０１を設け、この現在位置情報をもとに、店舗特定手段１０２が、情報送信端末１１０が予め記録された店舗の領域内にあるかどうかを判定し、一度、店舗領域内に入った後に、店舗外に出たと判断されたときに、自動的に、その店舗で扱っている商品の情報を入力するための入力画面を表示手段１０８に表示するようにしたので、情報送信者が意識しなくても、自動的に情報の入力を促すことにより、情報収集および送信の確実性を高めることができる。
【０１０９】
なお、本実施の発明では、Ｓ３０４で、店舗の識別子と店舗の種類を取得し、Ｓ３０６で商品リストを取得した後に、情報送信端末１１０の現在位置が、該店舗の外部に出るまで待ち（Ｓ３１２〜Ｓ３１４）、店舗の外部に出た時点で商品情報を入力する画面を表示手段に出力する（Ｓ３０８）例について説明したが、店舗の識別子と店舗の種類を取得するステップ（Ｓ３０４）と、商品リストを取得するステップ（Ｓ３０６）は、情報送信端末１１０の現在位置が、該店舗の外部に出たと判断された後でもよく、この場合、フローチャートは図９ｂのようになる。
（実施の形態４）
図１０は、本発明の第４の実施の形態における情報送信端末１２０のブロック図であり、情報送信端末１２０に動力停止検知手段１２９を設けた点が、本発明の第３の実施の形態における情報送信端末１１０と異なっている。
【０１１０】
動力停止検知手段１２９は、情報送信端末１２０が搭載されている自動車の動力が停止されたことを検知し、制御手段１２４に通知する。ここで、自動車の動力とは、例えばガソリンエンジンやディーゼルエンジンであったり、電気自動車であれば主電源などを指す。本実施の形態では、動力はガソリンエンジンであるものとする。
【０１１１】
このように構成された本発明の第４の実施の形態における情報送信端末１２０について、その動作を図１１に示すフローチャートを用いて説明する。
【０１１２】
Ｓ４０１〜Ｓ４０４の動作は、第１の実施の形態におけるＳ１０１〜Ｓ１０４の動作と同一であり、情報送信端末１２０の現在位置が、店舗特定手段１２２に格納されている店舗領域情報から得られる各店舗の領域のいずれかの内部であると判断されるまで、Ｓ４０１〜Ｓ４０３のステップを繰り返し、いずれかの店舗領域の内部に入ったと判断されると（Ｓ４０３のＹｅｓ）、店舗特定手段１２２に格納されている店舗領域情報から、その店舗の識別子と店舗の種類を読み出し（Ｓ４０４）、制御手段１２４に通知する。
【０１１３】
例えば、情報送信端末１２０が図２（ａ）における（Ｘ１）地点から、（Ｘ２）地点に移動し、店舗１の領域に入ると、店舗１の識別子「１００１」と、店舗の種類「食料品店」が店舗特定手段１２２から制御手段１２４に通知され（Ｓ４０４）、制御手段１２４は、店舗の種類「食料品店」をもとに、商品リスト取得手段１２３により、検索をおこない、「食料品店」に対応する商品リストとして、「牛乳」、「たまご」が制御手段１２４に返される（Ｓ４０６）。
【０１１４】
ここで、動力停止検知手段１２９は、エンジンが停止されたかどうかを検知し（Ｓ４０７）、エンジン停止が検知されるまで、Ｓ４０７を繰り返す。
【０１１５】
エンジン停止が検知されると（Ｓ４０７のＹｅｓ）、制御手段１２４は、Ｓ４０６で取得した商品リストをもとに、表示手段１２８に、図５（ａ）に示すような情報入力を促す表示をおこない（Ｓ４０８）、これに対して、商品情報入力がなされない間は、Ｓ４０９とＳ４１０を繰り返す。
【０１１６】
ここで、利用者が入力手段１０７を用いて、図５（ｂ）に示すように、「牛乳」と「たまご」の価格のいずれか、もしくは、両方を入力し、「ＯＫ」ボタンを押すと、情報入力が終了したものとみなされ（Ｓ４０９のＹｅｓ）、送信手段１２６を介して、店舗の識別子と、「牛乳」、「たまご」のいずれかの価格、もしくは両方の価格が、データベース装置に送信（Ｓ４１１）され、一連の処理を終了して、最初のステップであるＳ４０１に戻る。
【０１１７】
また、図５（ａ）の画面に対する入力の有無にかかわらず、「キャンセル」ボタンが押されると、入力キャンセルと判断され（Ｓ４１０のＹｅｓ）、同じく、一連の処理を終了して、Ｓ４０１に戻る。
【０１１８】
以上、説明したように、本発明の第４の実施の形態の情報送信端末１２０によれば、情報送信端末１２０に、自端末が搭載されている自動車のエンジンが停止されたことを検知する動力停止検知手段１２９を設け、情報送信端末１２０が予め記録された店舗の領域内に入った後、エンジンが停止したと判断されたときに、自動的に、その店舗で扱っている商品の情報を入力するための入力画面を表示手段１２８に表示するようにしたので、情報送信者が意識しなくても、自動的に情報の入力を促すことにより、情報収集および送信の確実性を高めることができる。
【０１１９】
なお、本実施の発明では、Ｓ４０４で、店舗の識別子と店舗の種類を取得し、Ｓ４０６で商品リストを取得した後に、エンジンの停止が検出されるのを待ち（Ｓ４０７）、エンジンの停止が検出された後で、商品情報を入力する画面を表示手段に出力する（Ｓ４０８）例について説明したが、店舗の識別子と店舗の種類を取得するステップ（Ｓ４０４）と、商品リストを取得するステップ（Ｓ４０６）は、エンジンの停止が検出された（Ｓ４０７）後でもよい。
【０１２０】
また、Ｓ４０７でエンジンが停止するまで待つ処理を説明したが、店舗の領域に入ってから、一定時間の間にエンジンが停止しない場合は、Ｓ４０７を繰り返す処理を抜け、一連の処理を終了して最初のステップであるＳ４０１に戻るようにしてもよい。
（実施の形態５）
図１２は、本発明の第５の実施の形態における情報送信端末１３０のブロック図であり、情報送信端末１３０に動力始動検知手段１４０を設けた点が、本発明の第４の実施の形態における情報送信端末１２０と異なっている。
【０１２１】
動力停止検知手段１４０は、情報送信端末１３０が搭載されている自動車の動力が始動されたことを検知し、制御手段１３４に通知する。本実施の形態では、第４の実施の形態と同様、動力はガソリンエンジンであるものとする。
【０１２２】
このように構成された本発明の第５の実施の形態における情報送信端末１３０について、その動作を図１３に示すフローチャートを用いて説明する。
【０１２３】
Ｓ５０１〜Ｓ５０３の動作は、第４の実施の形態におけるＳ４０１〜Ｓ４０３の動作と同一であり、情報送信端末１３０の現在位置が、店舗特定手段１３２に格納されている店舗領域情報から得られる各店舗の領域のいずれかの内部であると判断されるまで、Ｓ５０１〜Ｓ５０３のステップを繰り返す。
【０１２４】
例えば、情報送信端末１３０が図２（ａ）における（Ｘ１）地点から、（Ｘ２）地点に移動し、店舗１の領域に入ると（Ｓ５０３のＹｅｓ）、次に、動力停止検知手段１３９は、エンジンが停止されたかどうかを検知し（Ｓ５０４）、エンジン停止が検知されるまで、Ｓ５０４を繰り返す。
【０１２５】
エンジン停止が検知されると（Ｓ５０４のＹｅｓ）、店舗１の識別子「１００１」と、店舗の種類「食料品店」が店舗特定手段１３２から制御手段１３４に通知され（Ｓ５０５）、制御手段１３４は、店舗の種類「食料品店」をもとに、商品リスト取得手段１３３により、検索をおこない、「食料品店」に対応する商品リストとして、「牛乳」、「たまご」が制御手段１３４に返される（Ｓ５０６）。
【０１２６】
続いて、動力再始動検知手段１４０によって、エンジンが再び始動されるのを待ち、エンジン再始動が検知されるまで、Ｓ５０７を繰り返す。
【０１２７】
エンジンの再始動が検知されると（Ｓ５０７のＹｅｓ）、制御手段１２４は、Ｓ５０６で取得した商品リストをもとに、表示手段１３８に、図５（ａ）に示すような情報入力を促す表示をおこない（Ｓ５０８）、これに対して、商品情報入力がなされない間は、Ｓ５０９とＳ５１０を繰り返す。
【０１２８】
以降のＳ５０９、Ｓ５１０、Ｓ５１１の処理は、本発明の第４の実施の形態における情報送信端末１２０の動作を説明した図１１のフローチャートのＳ４０９、Ｓ４１０、Ｓ４１１と同一であり、商品情報の入力があれば（Ｓ５０９のＹｅｓ）、通信手段１３６を介して情報を送信した後、ステップＳ５０１に戻り、キャンセルボタンが押されたときは（Ｓ５１０のＹｅｓ）、情報送信をおこなわずに、やはりＳ５０１に戻る。
【０１２９】
以上、説明したように、本発明の第５の実施の形態の情報送信端末１３０によれば、情報送信端末１３０に、自端末が搭載されている自動車のエンジンが停止されたことを検知する動力停止検知手段１３９と、該エンジンが再始動されたことを検知する動力再始動検知手段１４０を設け、情報送信端末１３０が予め記録された店舗の領域内に入った後、エンジンが停止し、さらに再度エンジンが始動されたと判断されたときに、自動的に、その店舗で扱っている商品の情報を入力するための入力画面を表示手段１３８に表示するようにしたので、情報送信者が意識しなくても、自動的に情報の入力を促すことにより、情報収集および送信の確実性を高めることができる。
【０１３０】
なお、本実施の発明では、エンジンの停止が検出された後（Ｓ５０４）、Ｓ５０５で、店舗の識別子と店舗の種類を取得し、Ｓ５０６で商品リストを取得した後に、エンジンの再始動を検出し（Ｓ５０７）、エンジンの再始動が検出された後で、商品情報を入力する画面を表示手段に出力する（Ｓ５０８）例について説明したが、店舗の識別子と店舗の種類を取得するステップ（Ｓ５０５）と、商品リストを取得するステップ（Ｓ５０６）は、情報送信端末１３０が店舗１の領域に入ったと判断された（Ｓ５０３）後、エンジン停止を検出（Ｓ５０４）する前におこなってもよく、あるいは、Ｓ５０７でエンジンの再始動が検出された後、Ｓ５０８で商品情報入力を促す画面が表示される前におこなってもよい。
（実施の形態６）
図１４は、本発明の第６の実施の形態における情報送信端末１５０のブロック図であり、情報送信端末１５０に、動力停止検知手段の代りに燃料注入口開放検知手段１５９を設けた点が、本発明の第４の実施の形態における情報送信端末１２０と異なっている。
【０１３１】
燃料注入口開放検知手段１５９は、情報送信端末１５０が搭載されている自動車の燃料注入口が開放されたことを検知し、制御手段１５４に通知する。ここで、燃料注入口とは、例えばガソリンエンジンやディーゼルエンジンであれば給油口、電気自動車であれば充電手段が格納された部分の格納口などを指す。本実施の形態では、動力はガソリンエンジンであるものとし、燃料注入口開放検知手段１５９は、自動車の給油口の開放を検知するものとする。
【０１３２】
このように構成された本発明の第６の実施の形態における情報送信端末１５０について、その動作を図１５に示すフローチャートを用いて説明する。
【０１３３】
Ｓ６０１〜Ｓ６０３の動作は、第４の実施の形態におけるＳ４０１〜Ｓ４０３の動作と同一であり、情報送信端末１５０の現在位置が、店舗特定手段１５２に格納されている店舗領域情報から得られる各店舗の領域のいずれかの内部であると判断されるまで、Ｓ６０１〜Ｓ６０３のステップを繰り返す。
【０１３４】
例えば、情報送信端末１５０が図２（ａ）における（Ｘ１）地点から、（Ｘ２）地点に移動し、店舗１の領域に入ると（Ｓ６０３のＹｅｓ）、店舗１の識別子「１００１」と、店舗の種類「食料品店」が店舗特定手段１５２から制御手段１５４に通知され（Ｓ６０４）、制御手段１５４は、店舗の種類「食料品店」をもとに、商品リスト取得手段１５３により、検索をおこない、「食料品店」に対応する商品リストとして、「牛乳」、「たまご」が制御手段１５４に返される（Ｓ６０６）。
【０１３５】
ここで、給油口開放検知手段１５９は、給油口が開放されたかどうかを検知し（Ｓ６０７）、給油口開放が検知されるまで、Ｓ６０７を繰り返す。
【０１３６】
給油口開放が検知されると（Ｓ６０７のＹｅｓ）、制御手段１５４は、Ｓ６０６で取得した商品リストをもとに、表示手段１５８に、図５（ａ）に示すような情報入力を促す表示をおこない（Ｓ６０８）、以降、本発明の第４の実施の形態のフローチャート（図１１）のＳ４０８〜Ｓ４１１と同様の処理がおこなわれる。
【０１３７】
以上、説明したように、本発明の第６の実施の形態の情報送信端末１５０によれば、情報送信端末１５０に、自端末が搭載されている自動車の給油口が開放されたことを検知する燃料注入口開放検知手段１５９を設け、情報送信端末１５０が予め記録された店舗の領域内に入った後、給油口が開放されたと判断されたときに、自動的に、その店舗で扱っている商品の情報を入力するための入力画面を表示手段１５８に表示するようにしたので、情報送信者が意識しなくても、自動的に情報の入力を促すことにより、情報収集および送信の確実性を高めることができる。
（実施の形態７）
図１６は、本発明の第７の実施の形態における情報送信端末１６０のブロック図であり、情報送信端末１６０に、動力停止検知手段と動力始動検知手段の代りに燃料注入口状態検知手段１６９を設けた点が、本発明の第５の実施の形態における情報送信端末と異なっている。
【０１３８】
燃料注入口状態検知手段１６９は、情報送信端末１６０が搭載されている自動車の燃料注入口の開閉を検知し、制御手段１６４に通知する。燃料注入口とは、本発明の第６の実施の形態で説明したように、ガソリンエンジンにおける給油口や電気自動車の充電手段格納口などを指す。本実施の形態では、燃料注入口状態検知手段１６９は、自動車の給油口の開閉を検知するものとする。
【０１３９】
このように構成された本発明の第７の実施の形態における情報送信端末１６０について、その動作を図１７に示すフローチャートを用いて説明する。
【０１４０】
Ｓ７０１〜Ｓ７０３の動作は、第５の実施の形態におけるＳ５０１〜Ｓ５０３の動作と同一であり、情報送信端末１６０の現在位置が、店舗特定手段１６２に格納されている店舗領域情報から得られる各店舗の領域のいずれかの内部であると判断されるまで、Ｓ７０１〜Ｓ７０３のステップを繰り返す。
【０１４１】
例えば、情報送信端末１６０が図２（ａ）における（Ｘ１）地点から、（Ｘ２）地点に移動し、店舗１の領域に入ると（Ｓ７０３のＹｅｓ）、次に、燃料注入口状態検知手段１６９は、給油口が開放されたかどうかを検知し（Ｓ７０４）、給油口の開放が検知されるまで、Ｓ７０４を繰り返す。
【０１４２】
給油口の開放が検知されると（Ｓ７０４のＹｅｓ）、店舗１の識別子「１００１」と、店舗の種類「食料品店」が店舗特定手段１６２から制御手段１６４に通知され（Ｓ７０５）、制御手段１６４は、店舗の種類「食料品店」をもとに、商品リスト取得手段１６３により、検索をおこない、「食料品店」に対応する商品リストとして、「牛乳」、「たまご」が制御手段１３４に返される（Ｓ７０６）。
【０１４３】
続いて、燃料注入口状態検知手段１６９によって、給油口が再び閉鎖されるのを待ち、給油口の閉鎖が検知されるまで、Ｓ７０７を繰り返す。
【０１４４】
Ｓ７０７で給油口の閉鎖が検知されると（Ｓ７０７のＹｅｓ）、制御手段１６４は、Ｓ７０６で取得した商品リストをもとに、表示手段１６８に、図５（ａ）に示すような情報入力を促す表示をおこない（Ｓ７０８）、以降、本発明の第４の実施の形態のフローチャート（図１１）のＳ４０８〜Ｓ４１１と同様の処理がおこなわれる。
【０１４５】
以上、説明したように、本発明の第７の実施の形態の情報送信端末１６０によれば、情報送信端末１６０に、自端末が搭載されている自動車の給油口の開閉を検知する燃料注入口状態検知手段１６９を設け、情報送信端末１６０が予め記録された店舗の領域内に入った後、給油口が開放され、さらに再度、給油口が閉鎖されたと判断されたときに、自動的に、その店舗で扱っている商品の情報を入力するための入力画面を表示手段１６８に表示するようにしたので、情報送信者が意識しなくても、自動的に情報の入力を促すことにより、情報収集および送信の確実性を高めることができる。
【０１４６】
なお、本実施の発明では、給油口の開放が検出された後（Ｓ７０４）、Ｓ７０５で、店舗の識別子と店舗の種類を取得し、Ｓ７０６で商品リストを取得した後に、給油口が閉鎖されるのを検出し（Ｓ７０７）、給油口の閉鎖が検出された後で、商品情報を入力する画面を表示手段に出力する（Ｓ７０８）例について説明したが、店舗の識別子と店舗の種類を取得するステップ（Ｓ７０５）と、商品リストを取得するステップ（Ｓ７０６）は、情報送信端末１６０が店舗１の領域に入ったと判断された（Ｓ７０３）後、エンジン停止を検出（Ｓ７０４）する前におこなってもよく、あるいは、Ｓ７０７でエンジンの再始動が検出された後、Ｓ７０８で商品情報入力を促す画面が表示される前におこなってもよい。
（実施の形態８）
本発明の第８の実施の形態における情報送信端末１５０の構成は、前述の本発明の第６の実施の形態における情報送信端末１５０の構成と同一であり、図１４で表される。
【０１４７】
位置情報取得手段１５１は、ＧＰＳ等を利用して、自端末の現在位置を取得する。
【０１４８】
店舗特定手段１５２は、位置情報取得手段１５１から得られる位置情報をもとに、自端末の現在位置が予め記録された店舗領域の中であるかどうかを判断する。
【０１４９】
本実施の形態では、図２（ｂ）に示す店舗領域情報の例のうち、店舗２（識別子「２００１」）および店舗３（識別子「２００２」）のみが店舗特定手段１５２に格納されているものとする。
【０１５０】
店舗特定手段１５２は、位置情報取得手段１５１から得られる情報送信端末１５０の位置情報と、図２（ｂ）における店舗２および店舗３の領域を比較し、情報送信端末１５０の位置が店舗２もしくは店舗３のいずれかの領域内部であれば、制御手段１５４に対して、店舗の識別子を通知する。
【０１５１】
例えば、情報送信端末１５０が、図２（ａ）における（Ｙ１）の位置にあるとき、位置情報取得手段１０１から、店舗特定手段１５２に（Ｙ１）地点の位置情報として「Ｎ３４°４４’１２．８”  Ｅ１３５°３５’００．９”」なる緯度、経度情報が送られる。
【０１５２】
店舗特定手段１５２は、図２（ｂ）に示す店舗２および店舗３の領域情報と、（Ｙ１）地点の緯度、経度を比較し、（Ｙ１）地点が店舗２の領域あるいは店舗３の領域に含まれているかどうかを判定し、（Ｙ１）地点は店舗２、店舗３のいずれの領域にも含まれないので、店舗識別子として、該当店舗が存在しないことを表す「００００」を出力する。
【０１５３】
また、情報送信端末１５０が、図２（ａ）における（Ｙ２）の位置にあるとき、位置情報取得手段１５１から、店舗特定手段１０２に（Ｙ２）地点の位置情報として「Ｎ３４°４４’１３．３”  Ｅ１３５°３５’１０．６”」なる緯度、経度情報が送られる。
【０１５４】
店舗特定手段１５２は、上記と同様に、この（Ｙ２）地点の緯度、経度が店舗２の領域あるいは店舗３の領域に含まれているかどうかを判定し、（Ｙ２）地点は店舗２の領域内であるので、制御手段１５４に対して、店舗の識別子「２００１」を通知する。
【０１５５】
また、商品リスト取得手段１５３は、ガソリンスタンドにおける商品リストを格納しており、制御手段１５４からの読み出しに対して商品リストを返す。本実施の形態では、「レギュラーガソリン」、「ハイオクガソリン」、「軽油」の３種類が記録されているものとする。
【０１５６】
送信手段１５６は、情報送信端末１５０とデータベース装置を相互に通信可能にするものであり、携帯電話や無線ＬＡＮなどの無線ネットワーク装置を用いる。
【０１５７】
入力手段１５７には、タッチパネルやタッチペンをはじめとするポインティングデバイスや、あるいはキーボード、音声入力手段などを用いてもよい。
【０１５８】
また、表示手段１５８には、例えば、液晶表示装置などを用いる。
【０１５９】
燃料注入口開放検知手段１５９は、情報送信端末１５０が搭載されている自動車の燃料注入口が開放されたことを検知し、制御手段１５４に通知する。ここで、燃料注入口とは、例えばガソリンエンジンやディーゼルエンジンであれば給油口、電気自動車であれば充電手段が格納された部分の格納口などを指す。本実施の形態では、動力はガソリンエンジンであるものとし、燃料注入口開放検知手段１５９は、自動車の給油口の開放を検知するものとする。
【０１６０】
このように構成された本発明の第８の実施の形態における情報送信端末１５０について、その動作を図１８に示すフローチャートを用いて説明する。
【０１６１】
まず、燃料注入口開放検知手段１５９は、情報送信端末１５０が搭載された自動車の給油口が開放されたかどうかを監視し、給油口が閉鎖されている間、Ｓ８０１を繰り返す。
【０１６２】
次に、燃料注入口開放検知手段１５９が、給油口が開放されたことを検知すると（Ｓ８０１のＹｅｓ）、位置情報取得手段１５１が情報送信端末１５０の現在位置の位置情報を取得（Ｓ８０２）し、店舗特定手段１５２に送る。店舗特定手段１５２は、この位置情報と、店舗特定手段１５２に格納されている店舗２および店舗３の領域情報を比較し、情報送信端末１５０の現在位置が、店舗特定手段１５２に格納されている店舗領域情報から得られる各店舗の領域のいずれかの内部であるかどうかを判別する（Ｓ８０３）。
【０１６３】
例えば、図２（ａ）の（Ｙ１）地点において、給油口の開放が検出された場合、位置情報取得手段１５１によって、（Ｙ１）地点の位置情報が取得され（Ｓ８０２）、（Ｙ１）地点は、店舗特定手段１５２に領域情報が格納されている店舗２、店舗３のいずれの領域の内部でもないので、店舗特定手段１５２は、該当店舗が存在しないことを表す「００００」を制御手段１５４に通知する。
【０１６４】
制御手段１５４は識別子が「００００」であることから、（Ｙ１）地点が記録された店舗領域外であると判断し（Ｓ８０４のＮｏ）、Ｓ８０１に戻る。Ｓ８０１に戻った後は、再度、給油口が開放されるまで、Ｓ８０１を繰り返す。
【０１６５】
また、図２（ａ）の（Ｙ２）地点において、給油口の開放が検出された場合、同様に、位置情報取得手段１５１によって、（Ｙ２）地点の位置情報が取得され（Ｓ８０２）、（Ｙ２）地点は、店舗特定手段１５２に領域情報が格納されている店舗２、店舗３のうち、店舗２の領域内であるので、店舗特定手段１５２は、店舗２の識別子である「２００１」を制御手段１５４に通知する。
【０１６６】
制御手段１５４は識別子が「２００１」であることから、（Ｙ２）地点が記録された店舗領域内であると判断し（Ｓ８０４のＹｅｓ）、この店舗識別子「２００１」を取得する（Ｓ８０５）。
次に、商品リスト取得手段１５３から、商品リストとして、「レギュラーガソリン」、「ハイオクガソリン」、「軽油」が読み出され、制御手段１５４に送られる（Ｓ８０６）。制御手段１５４は、この商品リストをもとに、表示手段１５８に、図５（ｄ）に示すような表示をおこない、情報の入力を促す（Ｓ８０７）。
【０１６７】
以降、商品情報入力がなされない間は、Ｓ８０８とＳ８０９が繰り返され、入力手段１５７を用いて商品情報が入力され、「ＯＫ」ボタンが押されると、情報入力が終了したものとみなされ（Ｓ８０８のＹｅｓ）、送信手段１５６を介して、店舗の識別子と、情報が入力された商品の種類、その価格情報が送信（Ｓ８１０）された後、一連の処理を終えてＳ８０１の処理に移る。
【０１６８】
例えば、図５（ｄ）の画面に対して、図５（ｅ）のように「レギュラーガソリン」の欄に、価格として「１２０」が入力され、「ＯＫ」ボタンが押されると、店舗２の識別子「２００１」と、「レギュラーガソリン：１２０」なるデータが送信手段１５６を介して送出される。
【０１６９】
また、「レギュラーガソリン」と「ハイオクガソリン」の価格を両方入力し、「ＯＫ」ボタンを押した場合は、店舗２の識別子「２００１」に加えて、例えば、「レギュラーガソリン：１２０，ハイオクガソリン：１３０」のようにデータ送出される。
【０１７０】
また、キャンセルボタンが押されると（Ｓ８０９のＹｅｓ）、商品情報の入力待ち状態を抜け、同じく、一連の処理を終えてＳ８０１に戻る。
【０１７１】
以上、説明したように、本発明の第８の実施の形態の情報送信端末１５０によれば、情報送信端末１５０に、自端末が搭載されている自動車の給油口が開放されたことを検知する燃料注入口開放検知手段１５９を設け、給油口が開放されたと判断されたときに、自動的に、ガソリンスタンドで扱っている商品の情報を入力するための入力画面を表示手段１５８に表示するようにしたので、情報送信者が意識しなくても、自動的に情報の入力を促すことにより、情報収集および送信の確実性を高めることができる。
（実施の形態９）
図１９は、本発明の第９の実施の形態における情報送信端末１７０のブロック図であり、情報送信端末１７０は、自動車に搭載されているものとし、位置情報取得手段１７１、店舗特定手段１７２、制御手段１７４、燃料種別記憶手段１７５、送信手段１７６、入力手段１７７、表示手段１７８、燃料注入口状態検知手段１７９から構成される。
【０１７２】
ここで、位置情報取得手段１７１、店舗特定手段１７２、制御手段１７４、送信手段１７６、入力手段１７７、表示手段１７８、は、本発明の第８の実施の形態で説明した位置情報取得手段１６１、店舗特定手段１６２、制御手段１６４、送信手段１６６、入力手段１６７、表示手段１６８と同じものである。
【０１７３】
また、燃料種別記憶手段１７５は、本発明の第１の実施の形態で説明した燃料種別記憶手段１０５と同じものである。本実施の形態では、燃料の種類として「レギュラーガソリン」が記憶されているものとする。
【０１７４】
また、燃料注入口状態検知手段１７９は、本発明の第７の実施の形態で説明した燃料注入口状態検知手段１６９と同じものである。本実施の形態では、燃料注入口状態検知手段１７９は、自動車の給油口の開閉を検知する。
【０１７５】
このように構成された本発明の第９の実施の形態における情報送信端末１７０について、その動作を図２０に示すフローチャートを用いて説明する。
【０１７６】
Ｓ９０１〜Ｓ９０５までのステップは、本発明の第８の実施の形態の動作を説明するフローチャート（図１８）におけるＳ８０１〜Ｓ８０５の動作と同じであり、まず、燃料注入口開放状態手段１７９は、給油口が閉鎖されている間、Ｓ９０１を繰り返し、給油口が開放されたことを検知すると（Ｓ９０１のＹｅｓ）、位置情報取得手段１７１が情報送信端末１７０の現在位置の位置情報を取得（Ｓ９０２）し、店舗特定手段１７２に送る。
【０１７７】
店舗特定手段１７２は、情報送信端末１７０の現在位置が、店舗特定手段１７２に格納されている店舗領域情報から得られる各店舗の領域のいずれかの内部であるかどうかを判別し（Ｓ９０３）、いずれかの店舗の領域内部であるときは、その店舗の識別子を、いずれの店舗の領域内部でもないときは「００００」を、制御手段１７４に通知し、これにより、制御手段１７４は現在位置が店舗特定手段１７２に格納されたいずれかの店舗の領域内かどうかを判断する（Ｓ９０４）。
【０１７８】
（Ｙ２）地点で、燃料注入口状態検知手段１７９により、給油口の開放が検出された場合、店舗特定手段１７２より制御手段１７４に対して、店舗２の識別子「２００１」が通知される（Ｓ９０５）。
【０１７９】
次に、制御手段１７４は燃料種別記憶手段１７５から、情報送信端末１７０が搭載されている自動車の燃料の種類である「レギュラーガソリン」を読み出し（Ｓ９０６）、続いて、燃料注入口開放状態手段１７９により、給油口が閉鎖されるのを待つ（Ｓ９０７）。
【０１８０】
給油口の閉鎖が検知されると（Ｓ９０７のＹｅｓ）、制御手段１７４は、Ｓ９０５で燃料種別記憶手段１７５から読み出した燃料種別をもとに、表示手段１７８に、図５（ｃ）に示すような表示をおこない、情報の入力を促す（Ｓ９０８）。
【０１８１】
以降、商品情報入力がなされない間は、Ｓ９０９とＳ９１０が繰り返され、入力手段１７７を用いて商品情報が入力され、「ＯＫ」ボタンが押されると、情報入力が終了したものとみなされ（Ｓ９０９のＹｅｓ）、送信手段１７６を介して、店舗２の識別子「２００１」と、入力された「レギュラーガソリン」の価格情報が、「レギュラーガソリン：１２０」のように送信（Ｓ９１１）された後、一連の処理を終えてＳ９０１の処理に移る。
【０１８２】
また、キャンセルボタンが押されると（Ｓ９１０のＹｅｓ）、商品情報の入力待ち状態を抜け、同じく、一連の処理を終えてＳ９０１に戻る。
【０１８３】
なお、店舗の種類や領域などの店舗情報が店舗特定手段に予め記録されている例について記載したが、この店舗情報はサーバにて予め記録されており、情報送信端末は通信手段などにより該サーバから店舗情報を取得する構成であっても良い。またこの時、情報送信端末は走行中の近辺の店舗に関する店舗情報のみサーバから取得するようにしても良い。
【０１８４】
以上、説明したように、本発明の第９の実施の形態の情報送信端末１７０によれば、情報送信端末１７０に、自端末が搭載されている自動車の給油口が開放されたことを検知する燃料注入口状態検知手段１７９と、情報送信端末１７０が搭載されている自動車の燃料種別を記憶する燃料種別記憶手段１７５を設け、給油口の開放が検知された後、再度、給油口が閉鎖されたと判断されたときに、自動的に、自端末が搭載されている自動車の燃料の種類に対する価格情報を入力するための入力画面を表示手段１７８に表示するようにしたので、情報送信者が意識しなくても、自端末が搭載された自動車に適合する燃料の価格情報の入力を促し、情報送信の確実性を高めることができる。
【産業上の利用可能性】
【０１８５】
本発明に係る情報管理システムおよび情報送信端末は、店舗で扱われる商品についての情報、特に価格情報を、店舗および商品ごとに収集・蓄積するための情報管理システムおよび情報送信端末として有用である。
【図面の簡単な説明】
【０１８６】
【図１】本発明の第１及び第２の実施の形態における情報管理システムのブロック図
【図２】（ａ）店舗領域のイメージ図（ｂ）店舗領域情報の例を示す図
【図３】商品リストの例を示す図
【図４】本発明の第１の実施の形態における情報送信端末の動作を説明するフローチャート
【図５】（ａ）商品情報入力画面の第１の例を示す図（ｂ）商品情報入力画面の第１の例に入力した例を示す図（ｃ）商品情報入力画面の第２の例を示す図（ｄ）商品情報入力画面の第３の例を示す図（ｅ）商品情報入力画面の第２の例に入力した例を示す図
【図６】データベース装置に記憶される商品情報の記憶形式の例を示す図
【図７】本発明の第２の実施の形態における情報送信端末の動作を説明するフローチャート
【図８】本発明の第３の実施の形態における情報送信端末のブロック図
【図９ａ】本発明の第３の実施の形態における情報送信端末の動作を説明するフローチャート
【図９ｂ】本発明の第３の実施の形態における他の情報送信端末の動作を説明するフローチャート
【図１０】本発明の第４の実施の形態における情報送信端末のブロック図
【図１１】本発明の第４の実施の形態における情報送信端末の動作を説明するフローチャート
【図１２】本発明の第５の実施の形態における情報送信端末のブロック図
【図１３】本発明の第５の実施の形態における情報送信端末の動作を説明するフローチャート
【図１４】本発明の第６及び第８の実施の形態における情報送信端末のブロック図
【図１５】本発明の第６の実施の形態における情報送信端末の動作を説明するフローチャート
【図１６】本発明の第７の実施の形態における情報送信端末のブロック図
【図１７】本発明の第７の実施の形態における情報送信端末の動作を説明するフローチャート
【図１８】本発明の第８の実施の形態における情報送信端末の動作を説明するフローチャート
【図１９】本発明の第９の実施の形態における情報送信端末のブロック図
【図２０】本発明の第９の実施の形態における情報送信端末の動作を説明するフローチャート
【符号の説明】
【０１８７】
１    情報管理システム
１００    情報送信端末
１０１    位置情報取得手段
１０２    店舗特定手段
１０３    商品リスト取得手段
１０４    制御手段
１０５    燃料種別記憶手段
１０６    送信手段
１０７    入力手段
１０８    表示手段
２００    データベース装置
２０１    受信手段
２０２    商品情報記憶手段
【図１】
2007108918.tif 000003
【図２】
2007108918.tif 000004
【図３】
2007108918.tif 000005
【図４】
2007108918.tif 000006
【図５】
2007108918.tif 000007
【図６】
2007108918.tif 000008
【図７】
2007108918.tif 000009
【図８】
2007108918.tif 000010
【図９ａ】
2007108918.tif 000011
【図９ｂ】
2007108918.tif 000012
【図１０】
2007108918.tif 000013
【図１１】
2007108918.tif 000014
【図１２】
2007108918.tif 000015
【図１３】
2007108918.tif 000016
【図１４】
2007108918.tif 000017
【図１５】
2007108918.tif 000018
【図１６】
2007108918.tif 000019
【図１７】
2007108918.tif 000020
【図１８】
2007108918.tif 000021
【図１９】
2007108918.tif 000022
【図２０】
2007108918.tif 000023